(57)【特許請求の範囲】
【請求項１】
少なくとも前後一対の針床を備え、前後いずれかの針床が左右にラッキング可能で、かつ前後の針床間で編目の目移しが可能な横編機を用い、ベース編地部と、このベース編地部の厚み方向に重ねられる帯状編地部とを編成すると共に、前記ベース編地部に前記帯状編地部を無縫製で接続する編地の編成方法において、
前記ベース編地部を、前記帯状編地部を接続する位置まで編成する工程αと、
前記ベース編地部が係止されていない空針に編糸を給糸して、前後いずれか一方の針床に前記帯状編地部の始端となる始端編目列を形成すると共に、他方の針床に前記帯状編地部を構成する本体編目列を形成する工程βと、
前記本体編目列のウエール方向に続く新たな本体編目列を編成することを繰り返し、前記帯状編地部を完成させる工程γと、
前記ベース編地部を編成しつつ、前記工程βで形成した前記始端編目列、および前記工程γで最後に編成された本体編目列である前記帯状編地部の終端編目列を、前記ベース編地部の任意の位置に重ね合わせて、前記ベース編地部と前記帯状編地部とを接続する工程δと、
を備えることを特徴とする編地の編成方法。
【請求項２】
前記ベース編地部の一面側に設けられるポケット編地部を備え、そのポケット編地部のウエール方向端部に前記帯状編地部が取り付けられた編地を編成する場合、
前記工程αでは、前記ポケット編地部の少なくとも一部を、前記ベース編地部に無縫製で一体化させつつ編成し、
前記工程βでは、前記始端編目列と前記本体編目列は、前記ポケット編地部の編幅の外側にある空針で形成し、
前記工程γでは、前記本体編目列を一段以上編成すること、およびその新たに編成した本体編目列を前記ポケット編地部の側に寄せて、前記本体編目列の前記ポケット編地部側の端部編目と、前記ポケット編地部の前記本体編目列側の端部編目とを接続することを繰り返すことを特徴とする請求項１に記載の編地の編成方法。
【請求項３】
前記工程δでは、前記始端編目列を前記ベース編地部に接続する前に、前記始端編目列を構成する編目の左右位置を入れ換え、かつその左右位置を入れ換えた始端編目列を前記ポケット編地部の編幅内に配置することを特徴とする請求項２に記載の編地の編成方法。
【請求項４】
前記帯状編地部における他の編地部と接続される部分に並ぶ編目の数と、前記他の編地部における前記帯状編地部と接続される部分に並ぶ編目の数と、を異ならせることを特徴とする請求項１〜３のいずれか一項に記載の編地の編成方法。
【発明の詳細な説明】
【技術分野】
【０００１】
本発明は、ベース編地部の一面側に帯状編地部を取り付ける編地の編成方法に関する。特に、帯状編地部の始端編目列と終端編目列とをベース編地部の一面側における任意の位置に取り付けることができる編地の編成方法に関する。
【背景技術】
【０００２】
横編機を用いて、ベース編地部と、このベース編地部の一面側に両端部が接続される帯状編地部と、を備える編地を編成することが行なわれている。例えば特許文献１には、編地を吊り下げる紐や商品ラベルの取付部として利用される帯状編地部をベース編地部の厚み方向に重複して設けた編地を編成する編成方法が開示されている。この編地は、ベース編地部を編成しながら帯状編地部を編成する際、帯状編地部の編幅方向の端部をベース編地部に接続することで形成される。
【先行技術文献】
【特許文献】
【０００３】
【特許文献１】特開２００７−１６３４０公報
【発明の概要】
【発明が解決しようとする課題】
【０００４】
しかし、上記特許文献１の技術では、ベース編地部における帯状編地部の両端部の接続位置や、ベース編地部に対する帯状編地部の向きが限定的であった。例えば、ベース編地部に対して帯状編地部を斜めに接続することは、特許文献１の技術ではできなかった。
【０００５】
本発明は、上記事情に鑑みてなされたものであり、その目的は、ベース編地部に対する帯状編地部の接続の仕方を自由に設定することができる編地の編成方法を提供することにある。
【課題を解決するための手段】
【０００６】
本発明は、少なくとも前後一対の針床を備え、前後いずれかの針床が左右にラッキング可能で、かつ前後の針床間で編目の目移しが可能な横編機を用い、ベース編地部と、このベース編地部の厚み方向に重ねられる帯状編地部とを編成すると共に、ベース編地部に帯状編地部を無縫製で接続する編地の編成方法に係る。この本発明の編地の編成方法は、次の工程α〜δを備えることを特徴とする。
［工程α］…ベース編地部を、帯状編地部を接続する位置まで編成する。
［工程β］…ベース編地部が係止されていない空針に編糸を給糸して、前後いずれか一方の針床に帯状編地部の始端となる始端編目列を形成すると共に、他方の針床に帯状編地部を構成する本体編目列を形成する。
［工程γ］…本体編目列のウエール方向に続く新たな本体編目列を編成することを繰り返し、帯状編地部を完成させる。
［工程δ］…ベース編地部を編成しつつ、工程βで形成した始端編目列、および工程γで最後に編成された本体編目列である帯状編地部の終端編目列を、ベース編地部の任意の位置に重ね合わせて、ベース編地部と帯状編地部とを接続する。
【０００７】
ここで、本発明の編地の編成方法において、工程γで帯状編地部を完成させるまでの間に、ベース編地部の一部を編成しても良い。また、工程δにおける始端編目列とベース編地部との接続は、工程γの途中に行なっても構わない。
【０００８】
本発明の編地の編成方法により、ベース編地部の一面側に設けられるポケット編地部を備え、そのポケット編地部のウエール方向端部に帯状編地部が取り付けられた編地を編成しても良い。その場合、本発明の編地の編成方法における工程α〜工程γを以下のように変更する。
［工程αについて］…ポケット編地部の少なくとも一部を、ベース編地部に無縫製で一体化させつつ編成する。
［工程βについて］…始端編目列と本体編目列は、ポケット編地部の編幅の外側にある空針で形成する。
［工程γについて］…本体編目列を一段以上編成すること、およびその新たに編成した本体編目列をポケット編地部の側に寄せて、本体編目列のポケット編地部側の端部編目と、ポケット編地部の本体編目列側の端部編目とを接続することを繰り返す。
【０００９】
上記工程αにおけるポケット編地部は公知の編成方法（例えば、特開平０６−２２４８号公報など）を利用することができる。また、工程αでポケット編地部を完成させても良いし、完成させなくても良い。前者の場合、ポケット編地部の開口縁部が水平になったポケットが形成される（実施形態１を参照）。後者の場合、工程γで帯状編地部を編成する途中にポケット編地部の残りの部分を段階的に編成すれば良く、そうすることで、ポケット編地部の開口縁部が斜めになったポケットなどをベース編地部に形成した編地とすることができる（実施形態２を参照）。
【００１０】
本発明の編地の編成方法によりポケット編地部を備える編地を編成する場合、工程δを以下のように変更することが好ましい。
［工程δについて］…始端編目列をベース編地部に接続する前に、始端編目列を構成する編目の左右位置を入れ換え、かつその左右位置を入れ換えた始端編目列をポケット編地部の編幅内に配置する。
【００１１】
編目の左右位置の入れ替えには、針床のラッキングと、前後の針床間での編目の目移しと、を利用すると良い（実施形態１の図４におけるＳ８〜Ｓ８’を参照）。
【００１２】
本発明の編地の編成方法において、帯状編地部における他の編地部と接続される部分に並ぶ編目の数と、他の編地部における帯状編地部と接続される部分に並ぶ編目の数と、を異ならせても良い。以下、帯状編地部と他の編地部とが接続される部分を接続ラインと呼ぶ。
【００１３】
接続ラインとしては、帯状編地部の始端編目列とベース編地部との接続ライン、および帯状編地部の終端編目列とベース編地部との接続ラインが挙げられる。ポケット編地部を備える編地を編成する場合は、ポケット編地部の開口縁部と帯状編地部との接続ラインも含まれる。
【発明の効果】
【００１４】
請求項１に係る本発明の編地の編成方法によれば、帯状編地部の始端編目列をベース編地部から分岐させて編成するのではなく、当該始端編目列をベース編地部とは別個に編成するため、ベース編地部における始端編目列の接続位置や、ベース編地部に対する始端編目列の傾き（以下、接続の向きとする）を自由に設定することができる。同様に、帯状編地部の終端編目列も編成された段階ではベース編地部に接続されていないので、ベース編地部における終端編目列の接続の仕方も自由に設定することができる。従って、本発明の編地の編成方法によれば、ベース編地部の一面側の自由な位置に、自由な向きで帯状編地部を接続することができ、多様なデザインの編地を編成することができる。
【００１５】
請求項２に係る本発明の編地の編成方法によれば、ポケット編地部のウエール方向端部に帯状編地部からなる開口縁部を形成することができる。しかも、その開口縁部（帯状編地部）の編目の向きは、ポケット編地部の編目の向きと直交しており、ポケット編地部の見た目と、開口縁部の見た目とが異なっているデザイン性に優れるポケット（ポケット編地部＋開口縁部）とすることができる。また、ポケット編地部にポケット編地部とは編目の向きが異なる開口縁部を形成することで、ポケットの口が開き難くなるという効果もある。
【００１６】
請求項３に係る本発明の編地の編成方法によれば、ベース編地部と始端編目列との接続ラインの見た目と、ベース編地部と終端編目列との接続ラインの見た目を同じにすることができる。仮に、編幅方向における始端編目列の編目の並びが始端編目列の形成時の儘となっている状態で始端編目列をベース編地部に接続すれば、始端編目列の編目が捻られたようになる。一方、終端編目列とベース編地部との接続では、終端編目列の編目が捻れるという問題は生じないため、ベース編地部に対する帯状編地部の始端と終端の接続ラインの見た目が異なってしまう。これに対して、始端編目列における編目の左右の並びを入れ換えてから始端編目列とベース編地部とを接続すれば、始端編目列の編目が捻れるという問題が生じず、従って、ベース編地部に対する帯状編地部の始端と終端の接続ラインの見た目を同じにすることができる。
【００１７】
請求項４に係る本発明の編地の編成方法によれば、帯状編地部と他の編地部との接続ラインが縮まないようにすることができる。例えば、帯状編地部をリブ組織とし、他の編地部を天竺組織とした場合、両編地部の伸縮性に違いが出る。また、帯状編地部の編目の向きと他の編地部の編目の向きとが異なる場合、両編地部の伸縮し易い方向に違いがでる。そのため、接続する帯状編地部の目数と他の編地部の目数とが同じであると、接続ラインにおけるいずれかの編地部が縮んでしまう場合がある。そこで、このような伸縮性の相違や編目の向きの相違などを考慮し、接続ラインにおける帯状編地部の目数と他の編地部の目数とを異ならせることで、接続ラインにおいていずれかの編地部が縮むことを抑制できる。もちろん、この考え方を利用して、接続ラインにおける一方の編地部の目数を他方の編地部の目数よりも極端に少なくすることで、他方の編地部を敢えて縮ませることもできる。
【図面の簡単な説明】
【００１８】
【図１】（Ａ）は、実施形態１に示すポケットを有する編地の概略図、（Ｂ）は、（Ａ）のＢ−Ｂ断面図である。
【図２】（Ａ）〜（Ｄ）は、実施形態１に示す編地を編成する手順を示す編成工程のイメージ図である。
【図３】ポケットの開口縁部となる帯状編地部の編成し、その帯状編地部をベース編地部に接続する編成工程の前半部分を示す編成工程図である。
【図４】図３に続く、編成工程の後半部分を示す編成工程図である。
【図５】（Ａ）〜（Ｃ）は、実施形態１とは異なる形状を有するポケットを備える編地の概略図である。
【発明を実施するための形態】
【００１９】
以下、本発明編地の編成方法の実施形態を図面に基づいて説明する。実施形態では、左右方向に延び、かつ、前後方向に互いに対向する前針床（以下、ＦＢ）と後針床（以下、ＢＢ）を備え、ＢＢが左右にラッキング可能な２枚ベッド横編機を用いた編成例を説明する。もちろん、使用する横編機は、２枚ベッド横編機に限定されるわけではなく、４枚ベッド横編機であっても良い。
【００２０】
＜実施形態１＞
本実施形態１で編成する編地１は、図１に示すように、ベース編地部２と、このベース編地部２の表面側で、ベース編地部２の厚み方向に重複するポケット１０と、を備える。ポケット１０は、概略矩形のポケット編地部３と、このポケット編地部３のウエール方向（紙面上方）の端部でポケット１０の開口縁部を形成する帯状編地部４と、を備える。
【００２１】
ポケット１０のポケット編地部３は、ベース編地部２を編成する際にベース編地部２に連続して編成されており、ポケット編地部３の編目の向き（即ち、ウエール方向）は、ベース編地部２の編目の向きと同じとなっている。これに対して、ポケット１０の帯状編地部４は、ベース編地部２と別個に編成され、後からベース編地部２とポケット編地部３に接続されており、帯状編地部４の編目の向きは、ベース編地部２およびポケット編地部３の編目の向きと直交している。帯状編地部４の始端と終端はそれぞれ、図中の黒塗り矢印の位置でベース編地部２に接続され、帯状編地部４の一方の側端は、白抜き矢印の位置でポケット編地部３に接続されている。このように、ポケット編地部３のウエール方向端部に、ポケット編地部３とは編目の向きが異なる帯状編地部４を設けたポケット１０には、カールし易いウエール端がなく、ポケット１０の口が開き難くなっている。
【００２２】
上記編地１は、図２の編成イメージ図に示す手順で編成することができる。図２（Ｂ）における四角で囲まれた『Ｆ』はＦＢで編成することを、『Ｂ』はＢＢで編成することを示し、黒塗り片矢印は編成の方向を示す。なお、図２の編成イメージ図は、あくまで編成の概略的な手順を示すものであり、本発明の特徴である帯状編地部４の具体的な編成については、図３，４の編成工程図を用いて後述する。
【００２３】
図１の編地１を編成するにあたり、まず図２（Ａ）に示すように、ポケット編地部３の下端の位置までベース編地部２を編成し、そのベース編地部２の編幅内にポケット編地部３の編出し部（ジグザグで示す）を形成する。編出し部の編成方法は公知であり、例えば、特許第４２０３４１４号公報の編成方法などを利用することができる。
【００２４】
次に、図２（Ｂ）に示すように、ベース編地部２を編成すると共に、このベース編地部２に一体化されたポケット編地部３を完成させる（本発明における工程αに相当）。ポケット編地部３を編成するには、ポケット編地部３の形成位置で筒状となるように編成を行なえば良い。なお、ポケット編地部３の編成方法は公知であり、例えば、特開平０６−２２４８号公報に記載の編成方法などを利用することができる。
【００２５】
ポケット編地部３の編成が終了したら、図２（Ｃ）に示すように、ポケット編地部３の編幅の外側で、前後の針床の空針に交互に編糸を給糸して、前後の針床に振り分けられた一対の編目列からなる帯状編地部４の編出し部を形成する（本発明における工程βに相当）。なお、帯状編地部４の編出し部の形成方法は特に限定されず、最終的に前後の針床にほぼ同数の目数を持った一対の編目列が形成されれば良い。例えば、前後一方の針床の空針に複数の掛け目を形成し、それら掛け目を前後の針床に振り分けることで帯状編地部４の編出し部を形成しても良い。
【００２６】
形成した編出し部のうち、一方の針床に係止される編目列を帯状編地部４の始端編目列４ｓ、他方の針床に係止される編目列を帯状編地部４の本体編目列４ｂとし、本体編目列４ｂのウエール方向に続く新たな本体編目列４ｂを編成することを繰り返し、帯状編地部４を完成させる（本発明における工程γに相当）。
【００２７】
ここで、本実施形態では、帯状編地部４の側端をポケット編地部３に接続するために、帯状編地部４の本体編目列４ｂを編成することと、本体編目列４ｂをポケット編地部３の側に寄せて本体編目列４ｂの編目とポケット編地部３の編目とを重ねることと、を繰り返す。また、帯状編地部４の編成が終了した後、帯状編地部４の始端編目列４ｓをベース編地部２と接続させる前準備として、帯状編地部４の始端編目列４ｓを構成する編目の左右の並びを入れ換えると共に、並びを入れ換えた始端編目列４ｓをポケット編地部３の編幅内に配置する。この前準備を行なうことで、始端編目列４ｓをベース編地部２に接続する際、始端編目列４ｓの編目が捻れることを回避することができる。
【００２８】
最後に、図２（Ｄ）に示すように、ベース編地部２を編成すると共に、帯状編地部４の始端編目列４ｓと終端編目列４ｅをベース編地部２の編目に重ね合わせて、ベース編地部２と帯状編地部４とを接続する（本発明の工程δに相当）。これら始端編目列４ｓと終端編目列４ｅは、ベース編地部２に拘束されていない状態にあり、両編目列４ｓ，４ｅの接続位置と接続の向きは任意に設定することができる。本実施形態では、始端編目列４ｓ（終端編目列４ｅ）を構成する編目が、ベース編地部２の編幅方向の同じ位置でウエール方向に並ぶように両編目列４ｓ，４ｅをベース編地部２に接続した。そうすることで、ベース編地部２とポケット編地部３の編目の向きと直交する編目の向きを有する帯状編地部４でポケット１０の開口縁部を形成することができる。
【００２９】
図２を参照して説明した帯状編地部４の編成とベース編地部２への接続の手順を図３，４の編成工程図に基づいて説明する。図３，４における「Ｓ＋数字」は編成工程の番号を、黒点はＦＢとＢＢの編針を、大文字アルファベットは編幅方向の編針の位置を示す。また、図中のシンボルの意味は以下の通りである。
・実線『○』…帯状編地部４の編目
・実線『Ｖ』…帯状編地部４の編目（掛け目）
・実線『□』…ベース編地部２の編目
・点線『○』…ポケット編地部３の編目
・実線『●』…各編成工程で新たに形成された編目
・実線『◎』…重ね目（３重の重ね目も含む）
※重ね目の符号は、例えば、始端編目列４ｓの編目と、ベース編地部２の編目とを重ね合わせた重ね目の場合、『４ｓ；２』というように表記する。
【００３０】
図３のＳ１には、図２（Ｂ）に示す編成が終了した段階でのＦＢとＢＢにおける編目の係止状態が示されている。具体的には、ベース編地部２の編目がＦＢの編針Ａ，Ｃ，Ｅ，Ｇ，Ｉ，Ｋ，Ｍ，Ｏ，Ｑ，Ｓ，Ｕ，Ｗに係止され、ポケット編地部３のウエール方向端部の編目が、ＦＢの編針Ｈ，Ｊ，Ｌ，Ｎ，Ｐ，Ｒに係止されている。
【００３１】
Ｓ２では、Ｓ１においてＦＢに係止される全ての編目をＢＢの編針に目移しし、Ｓ３では、ＦＢの空針Ｓ，Ｕ，Ｗ、およびＢＢの空針Ｔ，Ｖ，Ｘに交互の編糸を給糸する。図中、ＢＢに係止される３つの編目が、帯状編地部４の始端編目列４ｓであり、ＦＢに係止される３つの編目が帯状編地部４を構成する本体編地部４ｂである。なお、掛け目からなる始端編目列４ｓのウエール方向に連続して新たな編目列を編成しておいても良く、その場合その新たな編目列を始端編目列４ｓとして扱う。そうすることで、始端編目列４ｓを目移しし易くできる。
【００３２】
Ｓ４，Ｓ５では、Ｓ３で形成した本体編地部４ｂのウエール方向に続く新たな本体編目列４ｂを２段編成する。続くＳ６では、まずＢＢを紙面右側にラッキングすることで、本体編目列４ｂをポケット編地部３の側（紙面左側）に寄せる（本体編目列４は移動していないが、相対的にポケット編地部３の側に寄っている）。さらにＳ６では、ポケット編地部３の終端編目列のうち、帯状編地部４の側の端部編目３１（Ｓ５参照）を、ＢＢの編針ＲからＦＢの編針Ｓに目移しする。ＦＢの編針Ｓには帯状編地部４の本体編目列４ｂのうち、ポケット編地部３の側の端部編目４１（Ｓ５参照）が係止されており、このＳ６によって、ポケット編地部３の端部編目３１と本体編目列４ｂの端部編目４１とが重ね合わされた重ね目４ｂ；３が形成される。
【００３３】
Ｓ６の後は、本体編目列４ｂをポケット編地部３の側に寄せつつ、Ｓ４〜Ｓ６と同様の編成を行なうことを、ポケット編地部３の全ての編目が処理されるまで繰り返す。一例を示せば、Ｓ６のＦＢの編針Ｓ，Ｕ，Ｗに係止される本体編目列４ｂのウエール方向に続いて新たな本体編目列４ｂを２段分編成した後、その新たな本体編目列４ｂをＢＢの空針を経由させてＦＢの編針Ｑ，Ｓ，Ｕに目移しする。そして、ＢＢの編針Ｐに係止されるポケット編地部３の端部編目を、ＦＢの編針Ｑに係止される本体編目列４ｂの端部編目と重ね合わせた後、新たな本体編目列４ｂを２段分編成する。例示した寄せと編成を繰り返すことで、帯状編地部３のウエール方向の数を増しつつ、帯状編地部３の側端をポケット編地部３のウエール方向端部に接続することができる。
【００３４】
ここで、本実施形態では、本体編目列４ｂを２段編成するごとに帯状編地部４とポケット編地部３とを接続し、両編地部４，３の接続ラインにおける両編地部４，３の目数を異ならせている。これに対して、本体編目列４ｂを１段（あるいは３段以上）編成するごとに帯状編地部４とポケット編地部３とを接続しても良い。このように、両編地部４，３の接続ラインにおける両編地部４，３の目数を敢えて異ならせることで、編目の向きが異なることによる編地部４，３のひきつれなどを抑制することができる。
【００３５】
Ｓ６’には、本体編目列４ｂの寄せと、新たな本体編目列４ｂの編成と、を繰り返し、最後の本体編目列４ｂ（終端編目列４ｅ）の紙面左側端部の編目にポケット編地部３の最後の編目を重ね合わせた状態が示されている。この時点でポケット編地部３と帯状編地部４との接続は完了していない。Ｓ６’の終端編目列４ｅのウエール方向に続いてさらに新たな編目列を形成し、両編地部３，４の接続を完了させても良い。その場合、新たに形成した編目列を終端編目列４ｅとして扱う。
【００３６】
次に、図２（Ｃ）に示す始端編目列４ｓを構成する編目の左右位置の入れ換え手順と、ベース編地部２に対する始端編目列４ｓと終端編目列４ｅの接続手順と、を図４の編成工程図で説明する。
【００３７】
Ｓ７では、ＢＢを紙面右方向にラッキングし、ＦＢの編針Ｉ，Ｋ，Ｍに係止される終端編目列４ｅを、ＢＢの編針Ｆ，Ｈ，Ｊに目移ししておく（Ｓ７では、ＢＢの紙面右側の一部が非表示となっている）。このＳ７の目移しは、始端編目列４ｓを構成する編目の左右の位置を入れ換えることには直接関係しない。
【００３８】
Ｓ８では、ＢＢを紙面左方向にラッキングし、ＢＢの編針Ｔに係止される始端編目列４ｓの左側端部の編目を、ＦＢの編針Ｒに目移しする。以降、紙面左方向へのＢＢのラッキングと始端編目列４ｓの編目の目移しを繰り返し、ＢＢの編針Ｖ，Ｘに係止される始端編目列４ｓの２つの編目をそれぞれ、ＦＢの編針Ｐ，Ｎに目移しする。編目の入れ換えが終了した状態をＳ８’に示す（Ｓ８’では、ＢＢの紙面左側の一部が非表示となっている）。
【００３９】
Ｓ９では、ＢＢのラッキングピッチを当初の状態に近い状態に戻し、ＢＢの編針Ｆに係止される終端編目列４ｅの編目（正確には、終端編目列４ｅの編目と、ポケット編地部３の最後の編目とを重ね合わせた重ね目４ｅ；３）を、ＦＢの編針Ｅに目移しする。
【００４０】
Ｓ１０では、始端編目列４ｓをＢＢの編針を経由させて紙面右側に移動させた後、ＢＢに係止される全ての編目をＦＢに目移しする（Ｓ１０以降では、ＢＢのラッキングは省略し、編目の移動方向を矢印で示すのみとする）。その際、ＦＢの編針Ｅの位置で、終端編目列４ｅ（重ね目４ｅ；３）の紙面左側端部の編目と、ＢＢの編針Ｅに係止されるベース編地部２の編目と、を重ね合わせた重ね目４ｅ；３；２を形成する。また、ＦＢの編針Ｓの位置で、始端編目列４ｓの紙面右側端部の編目と、ＢＢの編針Ｓに係止されるベース編地部２の編目と、を重ね合わせた重ね目４ｓ；２を形成する。
【００４１】
Ｓ１１では、ＦＢの編針Ａ，Ｃ，Ｅ，Ｇ，Ｉ，Ｋ，Ｍ，Ｏ，Ｑ，Ｓ，Ｕ，Ｗに係止される編目に続く新たな編目を形成する。このＳ１１によって、ベース編地部２が１段編成されると共に、ＦＢの編針Ｅの位置で帯状編地部４の終端編目列４ｅの一部とベース編地部２とが接続され、ＦＢの編針Ｓの位置で始端編目列４ｓの一部とベース編地部２とが接続される。同時に、まだ完了していなかったポケット編地部３と帯状編地部４との接続が完了する。なお、Ｓ１１において２段以上、ベース編地部２を編成しても良い。そうすることで、始端編目列４ｓ（終端編目列４ｅ）とベース編地部２との接続ラインにおける帯状編地部４とベース編地部２との目数を異ならせることができる。
【００４２】
Ｓ１１の後は、Ｓ１０，Ｓ１１と同様に、ＦＢの編針Ｅの位置で終端編目列４ｅをベース編地部２に接続することと、ＦＢの編針Ｓの位置で始端編目列４ｓをベース編地部２に接続することと、を繰り返し、ベース編地部２に対して帯状編地部４を接続する。参考までに、この接続の具体的な手順の一部をＳ１２〜Ｓ１４に示す。なお、Ｓ１２では、始端編目列４ｓと終端編目列４ｅの目移しの前に、その移動範囲内にあるベース編地部２の一部の編目をＢＢに逃がしておき、帯状編地部４とベース編地部２とが絡まないようにする。また、Ｓ１３では、Ｓ１２で逃がしておいた編目をＦＢに戻してからベース編地部２を編成する。
【００４３】
以上説明した編成工程に従えば、図１に示すポケット１０を有する編地１を編成することができる。この編成工程を応用して、筒状のベース編地部２にポケット１０を形成することもできる。その場合、編目を預けておける４枚ベッド横編機を利用することが好ましい。また、上記編成工程ではベース編地部２やポケット編地部３、帯状編地部４を天竺組織としたが、これら編地部２，３，４はリブ組織などであっても良い。この場合も、編目を預けておける４枚ベッド横編機を利用することが好ましい。
【００４４】
＜実施形態２＞
実施形態１では、開口部が水平なポケットを有する編地を編成する例を説明した。これに対して、図５（Ａ）〜（Ｃ）に例示するように、開口部が斜めになっているポケットを有する編地を編成しても良い。
【００４５】
図５（Ａ）〜（Ｃ）に示すポケット１０を有する編地１を編成する場合も、実施形態１と同様に、ベース編地部２と別個に帯状編地部４を編出し、後から帯状編地部４の始端編目列４ｓと終端編目列４ｅをベース編地部２に接続すれば良い。始端編目列４ｓと終端編目列４ｅをベース編地部２に後付けする構成であるからこそ、図５に例示する多様な形態のポケット１０を形成することができる。
【符号の説明】
【００４６】
１  編地    １０  ポケット
２  ベース編地部
３  ポケット編地部    ３１  端部編目
４  帯状編地部    ４１  端部編目
４ｓ  始端編目列  ４ｂ  本体編目列  ４ｅ  終端編目列
【図１】
0005995535.tif 000002
【図２】
0005995535.tif 000003
【図３】
0005995535.tif 000004
【図４】
0005995535.tif 000005
【図５】
0005995535.tif 000006